(57)【要約】【課題】  簡易な構成でベッドの両側に取替え取付可能であり、かつ被介助者がベッドと車椅子との間を移動する際の介助者の介助の補助を行うことができる使い勝手のよいベッド車椅子間移動補助装置を提供する。【解決手段】  中央部で湾曲したへの字形状からなり、上面が滑り加工され、下面が滑り止め加工された滑り板１００と、この滑り板１００をベッド３００のサイドレール３３０の垂直ポール３３１に対して回動自在に取り付けるユニバーサルジョイント部２１０を有する取付具２００とを有し、取付具２００は、滑り板１００の下面の一端に螺子２２２により着脱自在に取付けられる取付板２２０と、滑り板１００を平面内及び垂直面内で回動可能にするユニバーサルジョイント部２１０と、ユニバーサルジョイント部２１０をベッド３００のサイドレール３３０の垂直ポール３３１に取り付けるための取付部２３０を有する。【選択図】  図１
2014054320.tif 000002
【特許請求の範囲】
【請求項１】
被介助者がベッドと車椅子との間を移動する際の介助者の介助を補助するベッド車椅子間移動補助装置であって、
中央部で湾曲したへの字形状からなり、上面が滑り加工され、下面が滑り止め加工された滑り板と、
前記滑り板を前記ベッドの右側のサイドレールの垂直ポール又は前記ベッドの左側のサイドレールの垂直ポールに対して回動自在に取り付けるユニバーサルジョイント部を有する取付具と
を具備し、
前記取付具は、
前記滑り板の下面の一端若しくは他端に着脱自在に螺子止めされる取付板と、
前記取付板に接続された前記ユニバーサルジョイント部と、
前記ユニバーサルジョイント部に接続され、該ユニバーサルジョイント部を前記ベッドの右側のサイドレールの垂直ポール又は前記ベッドの左側のサイドレールの垂直ポールに取り付けるための取付部と
を具備し、
前記滑り板は、
前記取付部により該滑り板を前記ベッドの右側のサイドレールの垂直ポールに取付ける場合の前記取付板の取付位置近傍に設けられ、該滑り板を前記ベッドの左側のサイドレールの垂直ポールに取り付けて使用する場合に前記車椅子の一部に係合する第１の切欠部と、
前記取付部により該滑り板を前記ベッドの左側のサイドレールの垂直ポールに取付ける場合の前記取付板の取り付け位置近傍に設けられ、該滑り板を前記ベッドの右側のサイドレールの垂直ポールに取り付けて使用する場合に前記車椅子の一部に係合する第２の切欠部と
を有することを特徴とするベッド車椅子間移動補助装置。
【請求項２】
被介助者がベッドと車椅子との間を移動する際の介助者の介助を補助するベッド車椅子間移動補助装置であって、
中央部で湾曲したへの字形状からなり、上面が滑り加工され、下面が滑り止め加工された滑り板と、
前記滑り板を前記ベッドの右側のフレームに植設された取付ポール又は前記ベッドの左側のフレームに植設された取付ポールに対して回動自在に取り付けられるユニバーサルジョイント部を有する取付具と
を具備し、
前記取付具は、
前記滑り板の下面の一端若しくは他端に着脱自在に螺子止めされる取付板と、
前記取付板に接続された前記ユニバーサルジョイント部と、
前記ユニバーサルジョイント部に接続され、該ユニバーサルジョイント部を前記ベッドの右側のフレームに植設された取付ポール又は前記ベッドの左側のフレームに植設された取付ポールに取り付けるための取付部と
を具備し、
前記滑り板は、
前記取付部により該滑り板を前記ベッドの右側のフレームに植設された取付ポールに取付ける場合の前記取付板の取付位置近傍に設けられ、該滑り板を前記ベッドの左側のフレームに植設された取付ポールに取り付けて使用する場合に前記車椅子の一部に係合する第１の切欠部と、
前記取付部により該滑り板を前記ベッドの左側のフレームに植設された取付ポールに取付ける場合の前記取付板の取り付け位置近傍に設けられ、該滑り板を前記ベッドの右側のフレームに植設された取付ポールに取り付けて使用する場合に前記車椅子の一部に係合する第２の切欠部と
を有することを特徴とするベッド車椅子間移動補助装置。
【請求項３】
前記ユニバーサルジョイント部は、
前記取付板に垂直に植設され、先端に球部を有する第１の部材と、
前記球部に対応する位置に該球の直径より小さい径の円形孔がそれぞれ穿設され、該円形孔の形成部で前記球部を挟むとともに、他端が前記取付部に設けられた円状突起部を挟むように設けられた２枚の板部と、
前記２枚の板部の間隔を狭めるように操作され、前記球部における前記取付板の回動及び前記円状突起部における前記２枚の板部の回動を同時にロックするロックレバーと
を有することを特徴とする請求項１又は２に記載のベッド車椅子間移動補助装置。
【請求項４】
前記滑り板は、
前記第１の切欠部若しくは前記第２の切欠部を前記車椅子の一部に係合させた状態でその大部分が前記ベッドのマット上に位置するように湾曲形成されていることを特徴とすることを特徴とする請求項１乃至３のいずれか１項に記載のベッド車椅子間移動補助装置。
【請求項５】
前記滑り板は、
前記第１の切欠部及び前記第２の切欠部にそれぞれの近傍に該滑り板を前記車椅子に固定するためのフック部材を取付る第１のフック部材取付孔及び第２のフック部材取付孔を有することを特徴とする請求項１乃至４のいずれか１項に記載のベッド車椅子間移動補助装置。
【請求項６】
前記ベッドの右側のサイドレールの垂直ポール若しくは前記ベッドの左側のサイドレールの垂直ポールに取付けられ、前記滑り板の収容時に該滑り板一端が当接する滑り板受部
を更に具備することを特徴とする請求項１乃至５のいずれかに記載のベッド車椅子間移動補助装置。
【発明の詳細な説明】
【技術分野】
【０００１】
この発明は、被介助者がベッドと車椅子との間を移動する際の介助者の介助を補助するベッド車椅子間移動補助装置に関する。
【背景技術】
【０００２】
一般に、下半身等に障害を有する身体不自由者は、この身体不自由者の自由な活動を可能にするためにベッドと車椅子との間を頻繁に移動することがある。このベッドと車椅子との間の移動は一日に十数回に及ぶことがある。
【０００３】
しかし、下半身に障害を有する身体不自由者は、上半身にも何らかの障害がある場合も多く、このような場合、ベッドと車椅子との間の移動に際して介助者の介助が必要となる場合が多い。このベッドと車椅子との間の移動に際しての介助者の負担は非常に大きなものになり、これが介助者の腰痛の発生の大きな原因のとなって、介助者が介護施設に定着しない１つの要因となっている。
【０００４】
従来、身体不自由者が車椅子とベッドの間を安全に移動できるようにする器具としては、特許文献１に記載された「車椅子からベッドへの移動器具」が知られている。
【０００５】
この特許文献１に記載された「車椅子からベッドへの移動器具」は、車椅子の座席とベッドとの両上面の間を渡す長板状の渡し材１を有し、渡し材１の長尺側の縁に、車椅子の前面に位置するフレーム部ｄが挿入できる凹部１１を形成し、渡し材１の下面に渡し材１を支持する支持材２を設けて構成され、これによって、車椅子の座席とベッドとの間を渡し材１を介して直接平面によって連絡し、その上、車椅子のフレーム部ｄが渡し材１内に挿入されることになるので、車椅子の座席とベッドとの間の間隔は狭くなり、その分、身体の移動距離は短くなり、下半身不自由者による移動が楽になるというものである。
【０００６】
しかしながら、特許文献１に記載された「車椅子からベッドへの移動器具」は、サイズが大きくなるため、ベッドの横に置くと邪魔になり、また、上半身にも障害がある身体不自由者にとっては、車椅子からベッドへの移動に際しては介助者の介助が必要となるので、この場合も身体不自由者の足が器具と干渉するので使い勝手がよいものではなかった。
【０００７】
そこで、発明者等は、特許文献２に示すように、簡易な構成で被介助者がベッドと車椅子との間を移動する際の介助者の介助の補助を行うことができ、かつ、使い勝手のよいベッド車椅子間移動補助装置を開発した。
【先行技術文献】
【特許文献】
【０００８】
【特許文献１】特開２００６−１７５０６９号公報
【特許文献２】特許４９５５１３５号
【発明の概要】
【発明が解決しようとする課題】
【０００９】
ところで、この種の装置は、予め設定したベッドの一方の側だけでなく、ベッドの他方側にも取り付けられるようにして欲しいという要望も多い。
【００１０】
しかしながら、特許文献２に記載された「ベッド車椅子間移動補助装置」は、予め設定したベッドの一方の側に取り付けることを想定して開発したものであるので、この装置をベッドの他方側に取り付けようとする、簡単には取り付けられない。
【００１１】
そこで、この発明は、簡易な構成でベッドの両側に取替え取付可能であり、かつ被介助者がベッドと車椅子との間を移動する際の介助者の介助の補助を行うことができる使い勝手のよいベッド車椅子間移動補助装置を提供することを目的とする。
【課題を解決するための手段】
【００１２】
上記目的を達成するため、請求項１の発明は、被介助者がベッドと車椅子との間を移動する際の介助者の介助を補助するベッド車椅子間移動補助装置であって、中央部で湾曲したへの字形状からなり、上面が滑り加工され、下面が滑り止め加工された滑り板と、前記滑り板を前記ベッドの右側のサイドレールの垂直ポール又は前記ベッドの左側のサイドレールの垂直ポールに対して回動自在に取り付けるユニバーサルジョイント部を有する取付具とを具備し、前記取付具は、前記滑り板の下面の一端若しくは他端に着脱自在に螺子止めされる取付板と、前記取付板に接続された前記ユニバーサルジョイント部と、前記ユニバーサルジョイント部に接続され、該ユニバーサルジョイント部を前記ベッドの右側のサイドレールの垂直ポール又は前記ベッドの左側のサイドレールの垂直ポールに取り付けるための取付部とを具備し、前記滑り板は、前記取付部により該滑り板を前記ベッドの右側のサイドレールの垂直ポールに取付ける場合の前記取付板の取付位置近傍に設けられ、該滑り板を前記ベッドの左側のサイドレールの垂直ポールに取り付けて使用する場合に前記車椅子の一部に係合する第１の切欠部と、前記取付部により該滑り板を前記ベッドの左側のサイドレールの垂直ポールに取付ける場合の前記取付板の取り付け位置近傍に設けられ、該滑り板を前記ベッドの右側のサイドレールの垂直ポールに取り付けて使用する場合に前記車椅子の一部に係合する第２の切欠部とを有することを特徴とする。
【００１３】
請求項２の発明は、被介助者がベッドと車椅子との間を移動する際の介助者の介助を補助するベッド車椅子間移動補助装置であって、中央部で湾曲したへの字形状からなり、上面が滑り加工され、下面が滑り止め加工された滑り板と、前記滑り板を前記ベッドの右側のフレームに植設された取付ポール又は前記ベッドの左側のフレームに植設された取付ポールに対して回動自在に取り付けられるユニバーサルジョイント部を有する取付具とを具備し、前記取付具は、前記滑り板の下面の一端若しくは他端に着脱自在に螺子止めされる取付板と、前記取付板に接続された前記ユニバーサルジョイント部と、前記ユニバーサルジョイント部に接続され、該ユニバーサルジョイント部を前記ベッドの右側のフレームに植設された取付ポール又は前記ベッドの左側のフレームに植設された取付ポールに取り付けるための取付部とを具備し、前記滑り板は、前記取付部により該滑り板を前記ベッドの右側のフレームに植設された取付ポールに取付ける場合の前記取付板の取付位置近傍に設けられ、該滑り板を前記ベッドの左側のフレームに植設された取付ポールに取り付けて使用する場合に前記車椅子の一部に係合する第１の切欠部と、前記取付部により該滑り板を前記ベッドの左側のフレームに植設された取付ポールに取付ける場合の前記取付板の取り付け位置近傍に設けられ、該滑り板を前記ベッドの右側のフレームに植設された取付ポールに取り付けて使用する場合に前記車椅子の一部に係合する第２の切欠部とを有することを特徴とする。
【００１４】
請求項３の発明は、請求項１又は２の発明において、前記ユニバーサルジョイント部は、前記取付板に垂直に植設され、先端に球部を有する第１の部材と、前記球部に対応する位置に該球の直径より小さい径の円形孔がそれぞれ穿設され、該円形孔の形成部で前記球部を挟むとともに、他端が前記取付部に設けられた円状突起部を挟むように設けられた２枚の板部と、前記２枚の板部の間隔を狭めるように操作され、前記球部における前記取付板の回動及び前記円状突起部における前記２枚の板部の回動を同時にロックするロックレバーとを有することを特徴とする。
【００１５】
請求項４の発明は、請求項１乃至３のいずれかの発明において、前記滑り板は、前記第１の切欠部若しくは前記第２の切欠部を前記車椅子の一部に係合させた状態でその大部分が前記ベッドのマット３４０上に位置するように湾曲形成されていることを特徴とすることを特徴とする。
【００１６】
請求項４の発明は、請求項１乃至３のいずれかの発明において、前記滑り板は、前記第１の切欠部及び前記第２の切欠部にそれぞれ隣接して該滑り板を前記車椅子に固定するためのフック部材の取付けを可能にする第１のフック部材取付孔及び第２のフック部材取付孔を有することを特徴とする。
【００１７】
請求項５の発明は、請求項１乃至４の発明において、前記垂直ポールとは異なる前記ベッドの右側のサイドレールの垂直ポール若しくは前記垂直ポールとは異なる前記ベッドの左側のサイドレールの垂直ポールに取付けられ、前記滑り板の収容時に該滑り板一端が当接する滑り板受部を更に具備することを特徴とする。
【発明の効果】
【００１８】
この発明によれば、簡易な構成でベッドの両側に取替え取付可能であり、かつ被介助者がベッドと車椅子との間を移動する際の介助者の介助の補助を行うことができる使い勝手のよいベッド車椅子間移動補助装置を提供することができる。
【図面の簡単な説明】
【００１９】
【図１】図１は、この発明に係わるベッド車椅子間移動補助装置の一実施例を示す平面図及び側面図である。
【図２】図２は、図１に示したベッド車椅子間移動補助装置で用いられる取付具の詳細を示す平面図及び側面図である。
【図３】図３は、図１に示したベッド車椅子間移動補助装置で用いられる滑り板受部の詳細を示す平面図及び側面図である。
【図４】図４は、図１に示したベッド車椅子間移動補助装置で用いられる滑り板の詳細を示す平面図である。
【図５】図５は、図１に示したベッド車椅子間移動補助装置をベッドの右側のサイドレールの垂直ポールに取付けて使用する場合の使用例を説明する図である。
【図６】図６は、図１に示したベッド車椅子間移動補助装置で用いられるフック部材の一例を説明する図である。
【図７】図７は、図１に示したベッド車椅子間移動補助装置をベッドの左側のサイドレールの垂直ポールに取付けて使用する場合の使用例を説明する図である。
【図８】図８は、図１に示したベッド車椅子間移動補助装置の不使用時の収納方法を説明する図である。
【図９】図９は、図１に示したベッド車椅子間移動補助装置の不使用時の収納状態を示す図である。
【図１０】図１０は、この発明に係わるベッド車椅子間移動補助装置の他の取付態様を説明する図である。
【発明を実施するための形態】
【００２０】
以下、この発明に係わるベッド車椅子間移動補助装置の実施の形態を添付図面を参照して詳細に説明する。
【００２１】
図１は、この発明に係わるベッド車椅子間移動補助装置をベッドに取付けた状態を示すもので、（Ａ）はその平面図であり、（Ｂ）はその側面図である。
【００２２】
図１において、このベッド車椅子間移動補助装置１は、中央部で湾曲したへの字形状からなり、上面が滑り加工され、下面が滑り止め加工された滑り板１００と、この滑り板１００をベッド３００のサイドレール３３０の垂直ポール３３１に対して回動自在に取り付けるユニバーサルジョイント部２１０を有する取付具２００とを有する。
【００２３】
なお、この実施例において、ベッド３００のサイドレール３３０は、ベッド３００のベットフレーム３１０に取付けられたサイドレール取付部材３２０のサイドレール取付孔にその足部３２１を差し込むことにより、ベッド３００に取付けられるように構成されているが、このサイドレール３３０は、ベッド３００のベットフレーム３１０に形成された図示しないサイドレール取付孔に差し込むことにより、ベッド３００に取付けられるように構成されたものでもよい。
【００２４】
また、ベッド３００のサイドレール３３０の上記垂直ポール３３１とは異なる他の垂直ポール３３２には、後に詳述する、このベッド車椅子間移動補助装置１の不使用時に、このベッド車椅子間移動補助装置１の滑り板１００を収納するときに用いる滑り板受部４００が設けられている。
【００２５】
図２は、図１に示したベッド車椅子間移動補助装置１で用いられる取付具２００の詳細を示す図で、図２（Ａ）はその拡大平面図、図２（Ｂ）はその拡大側面図である。
【００２６】
図２（Ａ）及び（Ｂ）に示すように、図１に示したベッド車椅子間移動補助装置１で用いられる取付具２００は、滑り板１００の下面の一端に螺子２２２により着脱自在に取付けられる取付板２２０と、取付板２２０に接続され、滑り板１００を図２の（Ａ）の平面内で矢印Ｘ方向に回動可能にするとともに、滑り板１００を図２の（Ａ）の垂直面内で矢印Ｙ方向に回動可能にするユニバーサルジョイント部２１０と、ユニバーサルジョイント部２１０に接続され、ユニバーサルジョイント部２１０をベッド３００のサイドレール３３０の垂直ポール３３１に取り付けるための取付部２３０を有して構成される。
【００２７】
ここで、取付板２２０には、滑り板１００との位置決めのための位置決めピン２２１ａ及び２２１ｂが設けられている。
【００２８】
ユニバーサルジョイント部２１０は、取付板２２０の裏面に垂直に植設され、先端に球部２１２を有する第１の部材２１１と、球部２１２に対応する位置に該球の直径より小さい径の円形孔２１３ａ、２１３ｂがそれぞれ穿設され、該円形孔２１３ａ、２１３ｂの形成部で球部２１２を挟むとともに、他端が取付部２３０に設けられた円状突起部２３５を挟むように設けられた２枚の板部２１３及び２１４と、２枚の板部２１３及び２１４の間隔を狭めるように操作し、球部２１２を回動中心とする取付板２２０の矢印Ｘ方向の回動及び円状突起部２３５の中心を回動軸とする２枚の板部２１３及び２１４の矢印Ｙ方向の回動を同時にロックするロックレバー２１５を有する。
【００２９】
取付部２３０は、部材２３１と部材２３２とからなり、部材２３１と部材２３２との間にベッド３００のサイドレール３３０の垂直ポール３３１を挟んで、螺子２３３と２３４で螺子止めすることにより、ベッド３００のサイドレール３３０の垂直ポール３３１に取付けられる。また、部材２３２には、ユニバーサルジョイント部２１０を回動自在に取付けるための円状突起部２３５が設けられている。
【００３０】
図３は、図１に示したベッド車椅子間移動補助装置１で用いられる滑り板受部４００の詳細を示す図で、図３（Ａ）はその拡大平面図、図３（Ｂ）はその拡大側面図である。
【００３１】
図３（Ａ）及び（Ｂ）に示すように、図１に示したベッド車椅子間移動補助装置１で用いられる滑り板受部４００は、部材４１０と、先端につば部４３１を有する突起部４３０が植設された部材４２０から構成され、部材４１０と部材４２０との間に、サイドレール３３０の垂直ポール３３２を挟んで螺子４４０と４５０で螺子止めすることによりサイドレール３３０の垂直ポール３３２の所定の位置に取付けられる。
【００３２】
図４は、図１に示したベッド車椅子間移動補助装置１で用いられる滑り板１００の詳細を示す平面図である。
【００３３】
この滑り板１００は、上面が被介助者がベッドと車椅子との間を滑って容易に移動できるようにするために滑り加工され、また、下面は、被介助者がベッドと車椅子との間を移動するに際してベッドとの間が滑らないようにするために滑り止め加工されている。
【００３４】
また、このベッド車椅子間移動補助装置１は、ベッドの右側及び左側に取替え取り付け可能に形成されているので、滑り板１００の形状は、図４に示すように、中央部が幅広になった中央部で湾曲したへの字形状からなっている。
【００３５】
なお、滑り板１００の形状を、図４に示すように、中央部が幅広になった中央部で湾曲したへの字形状にした理由は、このベッド車椅子間移動補助装置１の使用に際して、このベッド車椅子間移動補助装置１をベッドの右側に取付けても左側に取付けても、その使用時に滑り板１００の大部分がベッドのマット３４０上に位置するようにして、滑り板１００及び取付具２００に大きな強度が要求されないようにしたためである。
【００３６】
また、この滑り板１００は、その一端に、このベッド車椅子間移動補助装置１をベッドの右側に取り付ける場合に、取付板２２０を螺子２２２によりこの滑り板１００に取付けるための右側用螺子孔１１０ａ及び取付板２２０の位置決めピン２２１ａ、２２１ｂが挿入される右側用位置決め孔１２０ａ、１３０ａが形成されている。
【００３７】
また、この滑り板１００の右側用位置決め孔１２０ａの上部には、このベッド車椅子間移動補助装置１をベッドの左側に取り付けて使用する場合に車椅子の一部に係合する第１の切欠部１４０ａが形成され、この第１の切欠部１４０ａの近傍に滑り板１００を車椅子に固定するための後に説明するフック部材を取付る第１のフック部材取付孔１５０ａが形成されている。
【００３８】
同様に、滑り板１００の他端には、このベッド車椅子間移動補助装置１をベッドの左側に取り付ける場合に、取付板２２０を螺子２２２によりこの滑り板１００に取付けるための左側用螺子孔１１０ｂ及び取付板２２０の位置決めピン２２１ａ、２２１ｂが挿入される左側用位置決め孔１２０ｂ、１３０ｂが形成されており、また、この滑り板１００の左側用位置決め孔１２０ｂの上部には、このベッド車椅子間移動補助装置１をベッドの右側に取り付けて使用する場合に車椅子の一部に係合する第２の切欠部１４０ｂが形成され、この第２の切欠部１４０ｂの近傍に滑り板１００を車椅子に固定するための後に説明するフック部材を取付る第２のフック部材取付孔１５０ｂが形成されている。
【００３９】
図５は、図１に示したベッド車椅子間移動補助装置１をベッド３００の右側のサイドレール３２０の垂直ポール３２１に取付けて使用する場合の使用例を説明する図である。
【００４０】
このベッド車椅子間移動補助装置の使用例としては、
１）被介助者がベッドから車椅子へ移動する際の介助者の介助を補助する場合
２）被介助者が車椅子からベッドへ移動する際の介助者の介助を補助する場合
の２つの形態がある。
【００４１】
被介助者がベッドから車椅子へ移動する際の介助者の介助を補助する場合は、まず、滑り板１００がベッド３００のマット３４０上の縁部に位置するようにセットする。
【００４２】
そして、被介助者を移動させて被介助者の臀部が滑り板１００に乗るようにして、被介助者をベッド３００のマット３４０上の縁部に座らせる。
【００４３】
次に、ベッド３００から被介助者が移動する車椅子５００の位置およびこの車椅子５００にストッパーがかけられているかを確認し、その後、滑り板１００を車椅子５００の方向に回動させ、滑り板１００の先端が、図５に示すように、ベッド１００の縁部から車椅子２００側に迫り出すようにして、滑り板１００の先端が車椅子５００の座面５１０に架かり、かつ、第２の切欠部１４０ｂが車椅子５００の一部に係合していることを確認する。
【００４４】
そして、ロックレバー２１５を操作して滑り板１００の回動をロックし、更に滑り板１００の第２のフック部材取付孔１５０ｂに取付けられたフック部材６００を車椅子５００の一部に掛けることにより、滑り板１００を車椅子５００に固定する。
【００４５】
なお、フック部材６００の一例は図６に示される。図６においては、滑り板１００の第２の切欠部１４０ｂが車椅子５００のアームレスト支柱５２０に係合する場合を示しており、フック部材６００は、滑り板１００の第２のフック部材取付孔１５０ｂに着脱自在に取付けられるナスカン部６１０、ナスカン部６１０に接続されるワイヤー部６２０、ワイヤー部６２０の先端に取付けられ、車椅子５００の車輪部５３０に掛けられるフック部６３０から構成される。
【００４６】
なお、このフック部材６００は、図６に示す構成に限らず、例えば、ゴムベルト、面ファスナー、ワイヤー等を用いて構成されたものでもよい。
【００４７】
その後、被介助者を滑り板１００上で滑らせて、滑り板１００上から車椅子５００の座面５１０上に移動させる。このとき、滑り板１００の回動はロックレバー２１５によりロックされ、滑り板１００は、フック部材６００により車椅子５００に固定されているので、滑り板１００がベッド３００側に逃げてしまうことはない。
【００４８】
次に、フック部材６００による滑り板１００と車椅子５００との固定を解除し、車椅子５００を後退させ、車椅子５００の座面５１０から滑り板５００の先端を外し、ロックレバー２１５によるロックを解除して滑り板１００を元の位置に戻すことにより、被介助者がベッドから車椅子へ移動する際の介助者の介助の補助は完了する。
【００４９】
被介助者が車椅子からベッドへ移動する際の介助者の介助を補助する場合は、滑り板１００をベッド３００のマット３４０上にある位置から車椅子５００側に迫り出すようする。
【００５０】
そして、被介助者が乗った車椅子５００を、滑り板１００の先端が車椅子５００の座面５１０に架かるように移動して、車椅子２００のストッパーをかける。
【００５１】
そして、滑り板１００の第２の切欠部１４０ｂが車椅子５００の一部に係合していることを確認し、ロックレバー２１５を操作して滑り板１００の回動をロックし、更に滑り板１００の第２のフック部材取付孔１５０ｂに取付けられたフック部材６００を車椅子５００の一部に掛けることにより、滑り板１００を車椅子５００に固定する。
【００５２】
次に、車椅子５００の被介助者を滑り板１００上を滑らせてベッド３００のマット３４０上に移動させる。このとき滑り板１００の回動はロックレバー２１５によりロックされ、滑り板１００は、フック部材６００により車椅子５００に固定されているので、滑り板１００がベッド３００側に逃げてしまうことはない。
【００５３】
その後、フック部材６００による滑り板１００と車椅子５００との固定を解除し、ロックレバー２１５によるロックを解除して滑り板１００を元の位置に戻すことにより、被介助者が車椅子５００からベッド３００のマット３４０上へ移動する際の介助者の介助の補助は完了する。
【００５４】
図７は、図１に示したベッド車椅子間移動補助装置１をベッドの左側のサイドレール３３０ａの垂直ポール３３１ａに取付けて使用する場合の使用例を説明する図である。
【００５５】
図１に示したベッド車椅子間移動補助装置をベッドの左側に取り付ける場合は、左側用螺子孔１１０ｂ及び左側用位置決め孔１２０ｂ、１３０ｂを用いて滑り板１００に取付板２２０を取り付け、取付部２３０をベッド３００の左側のサイドレール３３０ａの垂直ポール３３１ａに取り付ける。
【００５６】
また、滑り板１００と車椅子５００の一部との係合が滑り板１００の第１の切欠部１４０ａを用いて行われ、滑り板１００と車椅子５００との固定は、滑り板１００の第１のフック部材取付孔１５０ａに取付けられたフック部材６００により行われる。その他は、図５で説明したベッド車椅子間移動補助装置１をベッドの右側のサイドレールの垂直ポールに取付けて使用する場合と同様であるので、重複する説明は省略する。
【００５７】
図８は、図１に示したベッド車椅子間移動補助装置１の不使用時の収納方法を説明する図である。
【００５８】
図２に示したように、この実施例のベッド車椅子間移動補助装置１は、滑り板１００がユニバーサルジョイント部２１０を有する取付具２００によりベッド３００のサイドレール３３０の垂直ポール３３１に対して回動自在に取り付けられている。
【００５９】
すなわち、このベッド車椅子間移動補助装置１の不使用時には、ユニバーサルジョイント部２１０により、滑り板１００をベッドのフレームと平行になるように、回動することができ、この状態で図８に示すように滑り板１００を右方に回転させ、滑り板１００の先端を滑り板受部４００に当接させ、この状態で、ロックレバー２１５を操作して滑り板１００の回動をロックすることで、このベッド車椅子間移動補助装置１を通常の使用位置より右方の、介護に支障が来たさない図９に示す位置に移動収容することができる。
【００６０】
なお、上記実施例においては、滑り板１００をユニバーサルジョイント部２１０を有する取付具２００を介してベッド３００の右側のサイドレール３３０の垂直ポール３３１又はベッド３００の左側のサイドレール３３０ａの垂直ポール３３１ａに取付けるように構成したが、これに代えてベッドの右側のフレームに植設された取付ポール又はベッドの左側のフレームに植設された取付ポールに取付けるように構成してもよい。
【００６１】
図１０は、この発明に係わるベッド車椅子間移動補助装置１を他の取付態様でベッドに取付けた状態を示すもので、（Ａ）はその平面図であり、（Ｂ）はその側面図である。
【００６２】
図１０において、ベッド３００のベッドフレーム３１０には、第１の取付部材７１０を介して先端に取付孔が形成された第２の取付部材７２０が複数箇所取付けられている。
【００６３】
そして、第２の取付部材７２０の取付孔に、先端に頭部７３０ａが形成された取付ポール７３０を挿入し、これを締具７４０ａ、７４０ｂを用いて取付孔に固定する。
【００６４】
この状態で、取付ポール７３０にユニバーサルジョイント部２１０を有する取付具２００を介して滑り板１００を取付ける。
【００６５】
このような構成によると、ベッド３００からサイドレール３３０を取り外しているとき、ベッド３００のサイドレール３３０取付位置がこのベッド車椅子間移動補助装置１の使用に際して適した位置にないとき、若しくはベッド３００のサイドレール３３０の強度が十分でないとき等においても、この発明に係わるベッド車椅子間移動補助装置１の使用が可能になる。
【００６６】
また、ベッド３００のベッドフレーム３１０の両側に、上記第１の取付部材７１０及び上記第２の取付部材７２０を取付けることにより、ベッド３００の両側にこの発明に係わるベッド車椅子間移動補助装置１の取り付けが可能になる。
【００６７】
以上が本発明の代表的な実施形態の一例であるが、本発明は、上記実施例及び図面に示す実施例に限定することなく、その要旨を変更しない範囲内で適宜変形して実施できるものである。
【符号の説明】
【００６８】
１    ベッド車椅子間移動補助装置
１００    滑り板
２００    取付具
３００    ベッド
４００    滑り板受部
５００    車椅子
６００    フック部材
【図１】
2014054320.tif 000003
【図２】
2014054320.tif 000004
【図３】
2014054320.tif 000005
【図４】
2014054320.tif 000006
【図５】
2014054320.tif 000007
【図６】
2014054320.tif 000008
【図７】
2014054320.tif 000009
【図８】
2014054320.tif 000010
【図９】
2014054320.tif 000011
【図１０】
2014054320.tif 000012